(57)【要約】      （修正有）【課題】プライヤー機能及び釣糸の強度が損なわれない結束補助機能を合わせ持つプライヤーを提供する。【解決手段】プライヤーＰは、支軸１１により回動自在に支持された一対の杆体１と、杆体を操作するための把持部２と、把持部により杆体を閉操作したときに他の物体を挟持可能な挟持部３とを備えている。さらに、プライヤーには、杆体を開く方向に付勢する付勢手段と、支軸上の位置及び両把持部の基端部に、それぞれ、釣糸を係止するためのねじ止め式の釣糸係止部７が設けられている。【選択図】図１
0003209643.tif 000002
【実用新案登録請求の範囲】
【請求項１】
各々の長手方向中間部において支軸により互いに回動自在に支持された一対の杆体と、
前記一対の杆体の基端側に形成され、互いに近づくように移動して前記杆体を閉操作する把持部と、
前記一対の杆体の先端側に形成され、前記把持部により前記杆体を閉操作したときに互いに近づくように閉じて他の物体を挟持可能な挟持部と、
前記杆体を開く方向に付勢する付勢手段とを備え、
前記支軸上の位置と、前記両把持部の端部とに、それぞれ、釣糸を係止するためのねじ止め式の釣糸係止部が設けられている
ことを特徴とする魚釣り用プライヤー。
【請求項２】
請求項１記載の魚釣り用プライヤーにおいて、
前記両把持部に位置する釣糸係止部は、前記杆体の基端部における長手方向外側の端面に設けられており、該釣糸係止部のねじの軸心が前記杆体の長手方向に沿って延びている
ことを特徴とする魚釣り用プライヤー。
【請求項３】
請求項１または２に記載の魚釣り用プライヤーにおいて、
前記把持部の少なくとも一方の端部には、帯状の滑り止め部材が巻回されている
ことを特徴とする魚釣り用プライヤー。
【請求項４】
請求項１から３のうちのいずれか１項に記載の魚釣り用プライヤーにおいて、
前記挟持部の支軸寄りの位置に、該挟持部が閉じたときに他の物体を切断可能な切断部が設けられている
ことを特徴とする魚釣り用プライヤー。
【考案の詳細な説明】
【技術分野】
【０００１】
本考案は、魚釣りのときに用いる魚釣り用プライヤーに関するものである。
【背景技術】
【０００２】
従来より、釣糸の結束補助具として、例えば、特許文献１のようなものが知られている。また、釣針の交換やオモリの脱着、ラインの切断等に使用する魚釣り用プライヤーとして、例えば、特許文献２のようなものが知られている。
【０００３】
具体的に、特許文献１の釣糸の結束補助具は、略ハの字状に配列された一対のアーム部の内端部及び外端部に、それぞれ、釣糸を巻き付け可能な糸巻き軸を有する座部を設け、糸巻き軸の一端に固定された挟持体で糸巻き軸に巻き付けられた釣糸を挟み込んで固定することができるように構成されている。
【０００４】
また、特許文献２の魚釣り用プライヤーは、一対の挟持部の一方に対向する爪を突設し、両挟持部を閉じた際に、対向する爪の間に他方側の挟持部が挿入されるように構成されている。
【先行技術文献】
【特許文献】
【０００５】
【特許文献１】特開２０１３−１２８４４１号公報
【特許文献２】特開２００２−３３５８３９号公報
【考案の概要】
【考案が解決しようとする課題】
【０００６】
ここで、魚釣りにおいて、結束補助具とプライヤーの両方が必要であるため、釣りに行く際に両方を持っていく必要があった。また、例えば、結束補助具を使って釣糸を結束した後に、切断機能を有するプライヤーやニッパー等に持ち替えて、結束した釣糸の残部を切断する必要があり、面倒であった。
【０００７】
また、特許文献１の釣糸の結束補助具は、糸巻き軸に釣糸を巻き付けて固定してから釣糸の結束を行うため、釣糸に巻き付け跡が付いて釣糸の強度が損なわれる場合があった。
【０００８】
本考案は、斯かる点に鑑みてなされたものであり、その目的は、結束補助機能を有する魚釣り用プライヤーを提供することにある。さらに、魚釣り用プライヤーを用いた釣糸の結束作業において、釣糸の強度が損なわれないようにすることを目的とする。
【課題を解決するための手段】
【０００９】
上記の目的を達成するために、本考案の一態様に係る魚釣り用プライヤーは、各々の長手方向中間部において支軸により互いに回動自在に支持された一対の杆体と、 前記一対の杆体の基端側に形成され、互いに近づくように移動して前記杆体を閉操作する把持部と、 前記一対の杆体の先端側に形成され、前記把持部により前記杆体を閉操作したときに互いに近づくように閉じて他の物体を挟持可能な挟持部と、前記杆体を開く方向に付勢する付勢手段とを備え、前記支軸上の位置と、前記両把持部の端部とに、それぞれ、釣糸を係止するためのねじ止め式の釣糸係止部が設けられていることを特徴とする。
【００１０】
本態様によると、プライヤー上の３点に釣糸を係止するためのねじ止め式の釣糸係止部を設けるとともに、付勢手段により杆体を開く方向に付勢するようにしたので、プライヤーを用いてＦＧノットのような複雑な釣糸の結束作業を行うことができる。これにより、プライヤーと別に結束補助具を用意する必要がない。さらに、釣糸係止部をねじ止め式としたので、従来技術（例えば、特許文献１の技術）のように軸心回りに釣糸を巻く必要がない。これにより、従来技術と比較して、結束作業時に釣糸の強度が損なわれないようにすることができる。
【００１１】
前記両把持部に位置する釣糸係止部が、前記杆体の基端部における長手方向外側の端面に設けられ、該釣糸係止部のねじの軸心が前記杆体の長手方向に沿って延びるようにしてもよい。
【００１２】
このように、釣糸係止部を杆体の基端面（把持部の基端面）に設けることで、作業者がプライヤーとして使用するときに、釣糸係止部が作業の邪魔にならないようにすることができる。例えば、特許文献１のように、両把持部の端部において、支軸上の位置と同一平面上に釣糸係止部を設けた場合、プライヤーで挟持作業、切断作業を行う際に手が当たって邪魔になる場合があるが、本態様ではそのようなことがない。
【考案の効果】
【００１３】
本考案では、プライヤーに釣糸係止部を設けたので、プライヤーを用いて釣糸の結束作業を行うことができる。したがって、プライヤーと別に結束補助具を用意する必要がない。
【図面の簡単な説明】
【００１４】
【図１】実施形態に係るプライヤーの正面図である。
【図２】プライヤーを用いた釣糸の結線について説明するための図である。
【図３】実施形態に係るプライヤーの背面図である。
【図４】プライヤーの釣糸係止部を拡大した部分拡大図である。
【考案を実施するための形態】
【００１５】
以下、本考案の実施形態を図面に基づいて詳細に説明する。以下の好ましい実施形態の説明は、本質的に例示に過ぎず、本考案、その適用物或いはその用途を制限することを意図するものでは全くない。
【００１６】
本実施形態に係るプライヤーＰは、魚釣りのときに用いるものであり、釣針を交換したり、魚から釣針を外したり、各種ラインを切断したりする場合に用いるプライヤーとしての機能と、ＰＥラインからなるメインラインとナイロン等からなるリーダーとをＦＧノット等によって結束する際の補助具としての機能とを兼ね備えている。
【００１７】
図１に示すように、本実施形態に係るプライヤーＰは、各々の長手方向中間部において支軸１１により互いに回動自在に支持された一対の杆体１，１を備えている。一対の杆体１，１は、例えばステンレス等の金属製である。
【００１８】
一対の杆体１，１の基端側には、作業者が開閉操作をするための把持部２，２が形成されている。また、一対の杆体の先端側には、両把持部２，２により一対の杆体１，１を閉操作したときに互いに近づくように閉じて他の物体を挟持可能な挟持部３，３が形成されている。
【００１９】
具体的に、把持部２，２は、プライヤーＰとして正面から見た場合に、互いに離れる方向に湾曲している。また、把持部２，２は、接離して開閉するように構成されており、使用者の操作を受けて両把持部２，２が開閉されると、挟持部３，３も接離して開閉する。把持部２の長手方向中間部分の外周面２１は、使用者が把持した手にフィットさせることを目的として、手の形状に応じた位置が正面から見て円弧状に凹んでいる。また、一方の把持部２（図１では左側の把持部２）の基端部には、後述するメインラインＰＥとリーダーＬＤとの結束の最後の締め付けに用いる帯状のすべり止め部材４（例えば、ゴム製）が巻回されている。
【００２０】
挟持部３，３は、挟持面３１の形状を異ならせることで、形態及び用途の異なる複数の挟持構造を実現している。具体的に、把持部２，２が閉操作された際に、対向する挟持面３１，３１が互いに密着する構成、及び挟持面３１，３１の対向する位置が互いに半円形状や略楕円形状に切り欠かれた構成を組み合わせて、様々な物体を挟持できるようになっている。また、一方の挟持部３（図１では右側の挟持部３）の先端には、把持部２，２が閉操作されたときに他方の挟持部３（図１では左側の挟持部３）の先端面３２を覆うように形成されたくちばし状の突起からなる鉤部３３が突設され、スプリットリングを開く際の補助具として使用できるようになっている。
【００２１】
挟持部３の支軸１１側の端部には、把持部２，２が閉操作されたときに釣糸（例えば、メインラインＰＥやリーダーＬＤ）等の物体を切断するための切断部５が設けられている。切断部５は、一方の挟持部３に設けられた切断刃５１と、他方の挟持部３（図１では左側の挟持部３）に設けられた受け板部５２とによって構成されている。受け板部５２は、切断刃５１と直交する平面を有しており、把持部２，２が閉操作されたときに切断刃５１の先端が受け板部５２の平面に押し付けられて物体が切断されるように構成されている。これにより、切断刃同士を対向配置した構成と比較して、物体をより確実に切断できかつ長期間安定した切断を実現することができる。
【００２２】
支軸１１の周りには、杆体１，１を開く方向に付勢する付勢手段（図示省略）が設けられている。付勢手段の具体的な構成は、特に限定されないが、例えば、支軸１１の周りにねじりコイルばね（図示省略）を配置し、その両端部をそれぞれの杆体１，１に取り付けることにより実現することができる。
【００２３】
さらに、プライヤーＰには、メインラインＰＥとリーダーＬＤとを結束する際に使用する結束補助部が設けられている。結束補助部は、支軸１１上の位置及び両把持部２，２の基端部の計３箇所に設けられたねじ止め式の釣糸係止部７を含んでいる。釣糸係止部７は、軸心ＡＸに沿う方向に対向するように配置されかつ中央にねじ挿通孔（図示省略）が形成された薄板状の一対の係止板７１，７１と、一対の係止板７１，７１を密着させて締め付けるための係止ねじ７２とを備えている。換言すると、釣糸係止部７は、一対の係止板７１，７１の間に釣糸を通して、係止ねじ７２で締めつけることにより、釣糸を係止するような構成になっている。係止板７１には、例えば、釣糸が滑りにくいような素材（例えば、ゴム製）のシートを用いることができる。なお、係止板７１は、釣糸を傷つけずかつ釣糸が滑りにくいような素材であれば、ゴム以外の素材を用いてもよい。このように、釣糸係止部７をねじ止め式とすることにより、特許文献１のように係止ねじの軸部に釣糸を巻きつけることなく、結束作業の間、釣糸をしっかりと係止することができる。これにより、釣糸の強度を損なうことなく、結束作業を行うことができる。具体的には、結束作業中に、比較的に硬度が高くかつ外径が小さいねじ軸のようなものに釣糸を巻き付けた状態で、その釣糸が強く引っ張られると、釣糸に巻跡がついて釣糸の強度が損なわれる場合があるが、本態様ではその恐れがない。
【００２４】
以下において、結束補助部の構成について具体的に説明する。
【００２５】
支軸１１上の位置には、円板状の座部７３(図４参照）が一体的に設けられており、この座部７３の中央に支軸の軸方向に延びるねじ穴（図示省略）が設けられている。このねじ穴は、係止ねじ７２が螺合できるようになっている。そして、座部７３のプライヤーから離れる方向の表面（以下、座面７３ａという）の中央に一方の係止板７１が貼付け固定され、係止ねじ７２の座面７３ａと対向する面７２ａに他方の係止板７１が貼付け固定されている。また、係止ねじ７２には、外周全体にわたって、使用者が作業をする際の滑り止め用の溝７２ｂが形成されている。
【００２６】
同様に、両把持部２，２の基端面２２，２２には、それぞれ、円板状の座部７３，７３が一体的に設けられており、それぞれの座部７３の中央には、杆体１の長手方向（座部の板厚方向）に延びるねじ穴（図示省略）が貫通形成されている。このねじ穴は、把持部２の内側まで延びており、係止ねじ７２が螺合できるようになっている。そして、支軸上の位置に設けられた釣糸係止部７と同様に、座部７３の座面７３ａに一方の係止板７１が、係止ねじ７２の座面７３ａと対向する面７２ａに他方の係止板７１が貼付け固定され、係止ねじ７２の外周に滑り止め用の溝７２ｂが形成されている。
【００２７】
なお、図３に示すように、プライヤーＰの支軸１１の位置において、釣糸係止部７の座部７３と対向する面には、魚の寸法を計測するためのマーカー８が設けられていてもよい。このマーカー８は、挟持部３（鉤部３３）に保持された魚の寸法を計測する際の基準寸法となるものである。例えば、使用者がスマートフォンやデジタルカメラを用いて、プライヤーＰで保持した魚をマーカー８が含まれるように撮影すると、内蔵されたアプリケーションがマーカー８の寸法を基準として魚の寸法を推定して画面に表示させる、といった用途で使用することができる。
【００２８】
また、プライヤーＰを閉状態に保持するロック部９を設けるようにしてもよい。図１〜図３では、把持部２の支軸側の端部にスライド移動式のロック部９を設けた例を示している。
【００２９】
次に、プライヤーＰの結束補助部の使用方法について詳細に説明する。
【００３０】
まず、プライヤーＰを開状態、すなわち把持部２，２を未操作の状態にし、両把持部２，２に設けられた釣糸係止部７，７の係止ねじを緩める。次に、両方の釣糸係止部７，７の一対の係止板７１，７１の間にメインラインＰＥを架け渡した状態で、係止ねじ７２をねじ止めする。このとき、両把持部２，２間にメインラインＰＥを緩みのない状態（少し緊張させた状態）で係止するのが好ましい。また、支軸１１上の位置に設けられた釣糸係止部７の係止ねじ７２を緩め、リーダーＬＤを通した状態で、係止ねじ７２をねじ止めする。図１には、メインラインＰＥ及びリーダーＬＤを釣糸係止部７に係止した状態を例示している。
【００３１】
図１の状態にした後の具体的なＦＧノット等の結線方法は、従来技術（例えば、特許文献１参照）と同様であり、ここではその詳細な説明を省略する。図２には、ＦＧノットの途中段階であるメインラインＰＥにリーダーＬＤを網み付けし、網み付けした部分の端部（図２の下端部）にハーフヒッチを施した状態を例示している。図２のような結束状態にした後、それぞれの釣糸係止部７からメインラインＰＥ及びリーダーＬＤを取り外し、把持部２のすべり止め部材４にメインラインＰＥを巻き付け、リーダーＬＤを引っ張って結束部の締め付けを行う。このように、すべり止め部材４を設けることにより、メインラインＰＥ及びリーダーＬＤの結束を強くするための引張作業において、釣糸が使用者の手に食い込んで十分な強さで引っ張れなくなることを防ぐことができる。なお、一般的に、メインラインＰＥの方がリーダーＬＤより細いため、滑り止め部材４にメインラインＰＥを巻きつけるものとして説明したが、すべり止め部材４にリーダーＬＤを巻き付けてもかまわない。最後に、エンドノットと呼ばれる工程を行い、切断部を使ってメインラインとリーダーの余分な部分を切断することにより、結束作業は完了する。
【００３２】
なお、エンドノット工程についても、従来技術と同様であり、ここではその詳細な説明を省略する。同様に、プライヤーを用いた物体の挟持方法及び物体の切断方法についても、従来技術と同様であり、ここではその詳細な説明を省略する。
【産業上の利用可能性】
【００３３】
本考案によると、プライヤーを用いて釣糸（例えば、メインラインＰＥとリーダーＬＤ）の結束作業を完結させることができるので、プライヤーと別に結束補助具を用意する必要がなく極めて有用であり、産業上の利用可能性が高い。
【符号の説明】
【００３４】
Ｐ：プライヤー、１：杆体、２：把持部、３：挟持部、４：すべり止め部材、７：釣糸係止部
【図１】
0003209643.tif 000003
【図２】
0003209643.tif 000004
【図３】
0003209643.tif 000005
【図４】
0003209643.tif 000006